(57)【要約】【課題】連続鋳造用ノズルとＳＮ装置とのシール性を向上させることができる支持装置を提供すること。【解決手段】支持面に固定された固定支柱１０から延び、水平旋回可能かつ上下方向に揺動又は移動可能な保持手段４０と、保持手段４０の先端側に設けられた押上手段７０と、押上手段７０の先端側に設けられ、連続鋳造用ノズル１００を支持する支持手段８０と、押上手段７０に設けられ、スライディングノズル装置１１０の摺動金枠に形成された第一の係合部１１１ａに押上手段７０を引っ掛ける引掛手段９０とを備え、押上手段７０が支持手段８０を介して連続鋳造用ノズル１００を押し上げる、連続鋳造用ノズルの支持装置である。【選択図】図１
2010221279.tif 000002
【特許請求の範囲】
【請求項１】
連続鋳造用ノズルをスライディングノズル装置に押し付けて支持する連続鋳造用ノズルの支持装置であって、支持面に固定された固定支柱から延び、水平旋回可能かつ上下方向に揺動又は移動可能な保持手段と、前記保持手段の先端側に設けられた押上手段と、前記押上手段の先端側に設けられ、連続鋳造用ノズルを支持する支持手段と、前記押上手段に設けられ、前記スライディングノズル装置の摺動金枠に形成された第一の係合部に前記押上手段を引っ掛ける引掛手段とを備え、
前記押上手段は、前記支持手段を介して連続鋳造用ノズルを押し上げることを特徴とする連続鋳造用ノズルの支持装置。
【請求項２】
前記支持手段は、連続鋳造用ノズルに設けられた突起に係合する第二の係合部を備え、
前記押上手段は、前記支持手段を介して連続鋳造用ノズルを下方に引き下げることができる請求項１に記載の連続鋳造用ノズルの支持装置。
【請求項３】
前記押上手段は、駆動手段によって前進及び後退するアームと、このアームに一端が連結されると共に他端が前記支持手段に連結されたベルクランクとを備え、前記アームを前進及び後退させることにより、前記ベルクランクによって前記支持手段を上昇及び下降させ、連続鋳造用ノズルの押し上げ及び引き下げを行う請求項２に記載の連続鋳造用ノズルの支持装置。
【請求項４】
前記押上手段は、駆動手段によって前進及び後退するラックと、このラックと噛み合うピニオンを一端に有すると共に他端を前記支持手段にねじ込んだ送りねじとを備え、前記ラックを前進及び後退させることにより、前記送りねじによって前記支持手段を上昇及び下降させ、連続鋳造用ノズルの押し上げ及び引き下げを行う請求項２に記載の連続鋳造用ノズルの支持装置。
【請求項５】
前記保持手段は、支持面に固定された固定支柱の周りに回転可能に連結された回転支柱と、この回転支柱にこれを中心として水平旋回可能かつ上下方向に揺動可能に連結された伸縮可能な支持アームと、この支持アームと前記回転支柱との間に配置され前記支持アームを上下方向に揺動させるアクチュエータとを備え、前記押上手段は、前記支持アームに水平旋回可能に連結され、前記支持手段は前記押上手段に連結された請求項１〜請求項４のいずれかに記載の連続鋳造用ノズルの支持装置。
【請求項６】
請求項１〜５のいずれかに記載の連続鋳造用ノズルの支持装置と、この支持装置の引掛手段が引っ掛る第一の係合部が摺動金枠に形成されたスライディングノズル装置とを備えたスライディングノズル設備。
【請求項７】
請求項２に記載の連続鋳造用ノズルの支持装置の前記第二の係合部と係合する突起を備えた連続鋳造用ノズル。
【請求項８】
連続鋳造用ノズルをスライディングノズル装置に押し付けて支持する連続鋳造用ノズルの支持方法であって、支持面に固定された固定支柱から延びる保持手段に設けられた押上手段の支持手段で連続鋳造用ノズルを支持し、前記スライディングノズル装置の摺動金枠に形成された第一の係合部に引掛手段で前記押上手段を引っ掛け、前記支持手段を介して押上手段で連続鋳造用ノズルを上方に押し上げる連続鋳造用ノズルの支持方法。
【請求項９】
前記支持手段の第二の係合部を前記連続鋳造用ノズルに設けられた突起に係合させ、前記支持手段を介して前記押上手段で前記連続鋳造用ノズルを下方に引き下げる請求項８に記載の連続鋳造用ノズルの支持方法。
【発明の詳細な説明】
【技術分野】
【０００１】
本発明は、取鍋からタンディッシュに溶鋼を排出するロングノズルや、タンディッシュから連続鋳造用モールドに溶鋼を注入する浸漬ノズルなど（以下、総称して「連続鋳造用ノズル」という。）を、取鍋やタンディッシュなどの底部に設置されたスライディングノズル装置（以下「スライディングノズル」をＳＮと略す。）に押し付けて支持する連続鋳造用ノズルの支持装置及び支持方法、並びに前記支持装置を備えたＳＮ設備、さらに前記支持装置で好適に支持される連続鋳造用ノズルに関する。
【背景技術】
【０００２】
ロングノズルや浸漬ノズルなどの連続鋳造用ノズルは、ＳＮ装置とともに使用されることが多い。例えばロングノズルは、取鍋の排出制御に使用するＳＮ装置の下端に設置された下部ノズルや、下部ノズルに接合した中間ノズルに接合されて使用されることが多い。また、最下端の金枠に設置されたＳＮプレートに接合される場合もある。
【０００３】
そして、連続鋳造用ノズルとＳＮ装置との接合部は、ノズルの軸方向（上下方向）に常時加圧して、密着した接合構造とされている。溶鋼流を空気から遮断して、溶鋼の酸化等を防止するためである。
【０００４】
このような加圧を伴う連続鋳造用ノズルの支持装置として、特許文献１には、「てこ」となるアームによって連続鋳造用ノズルを溶鋼流出口に押し付けるようにした支持装置が開示されている。
【０００５】
取鍋の下に取り付けるロングノズルは、連続鋳造用ノズルの中でも大型で、自重もある。さらに、タンディッシュ上で取鍋に取り付けるなど、作業員が直接作業を行うことが困難な環境で使用される。そこで、アームを利用することによって、ロングノズルの自重を支えると共に、作業員が遠隔で作業を行うことを可能としている。
【先行技術文献】
【特許文献】
【０００６】
【特許文献１】特開２００８−６４７８号公報
【発明の概要】
【発明が解決しようとする課題】
【０００７】
このようなアームによる支持装置では、連続鋳造用ノズルとＳＮ装置とをその接合面に付加する面圧のみによって密着させ一体化するようにしていた。このため、連続鋳造用ノズルと接合するＳＮプレートが摺動する場合、連続鋳造用ノズルは、ＳＮプレートに引き摺られて移動し、この時、接合部に隙間が生じることを防止するため、その接合面に対して、単に漏鋼や溶鋼の酸化等を防止するのに必要な面圧より遙かに大きい面圧を付加する必要があった。具体的には、例えばアームを長くして、てこ比を稼いだり、アーム自体を大きな力で押し上げるなど、シール性保持に必要な面圧を超えた強い力で面圧を負荷していた。このため、支持装置が大型になるという問題があった。
【０００８】
さらには、ＳＮ装置の摺動方向は直線であるのに対して、支持装置のアーム動きは円弧状であり、ＳＮ装置の摺動方向とアームの動きが一致しない。したがって、ＳＮ装置の摺動に伴い、連続鋳造用ノズルとの接合面にはＳＮ装置と連続鋳造用ノズルとの間を剪断するような回転方向の力が加わる。そのため、ＳＮ装置のプレートれんが等が損傷しやすく、接合部の密着性が悪くなることが多い。
【０００９】
また、連続鋳造用ノズルとＳＮ装置の内孔には、溶鋼注入終了後にも溶鋼等が凝固したものが残ることから、単に面圧を解除するだけでは連続鋳造用ノズルをＳＮ装置から分離することはできず、別途、人力作業等に頼らざるを得ないことが多い。
【００１０】
そこで本発明では、連続鋳造用ノズルをアームで支持する支持技術において、連続鋳造用ノズルとＳＮ装置とのシール性を向上させることができる支持技術を提供することを目的とする。
【課題を解決するための手段】
【００１１】
本発明に係る連続鋳造用ノズルの支持装置は、連続鋳造用ノズルをスライディングノズル装置に押し付けて支持する連続鋳造用ノズルの支持装置であって、支持面に固定された固定支柱から延び、水平旋回可能かつ上下方向に揺動又は移動可能な保持手段と、前記保持手段の先端側に設けられた押上手段と、前記押上手段の先端側に設けられ、連続鋳造用ノズルを支持する支持手段と、前記押上手段に設けられ、前記スライディングノズル装置の摺動金枠に形成された第一の係合部に前記押上手段を引っ掛ける引掛手段とを備え、前記押上手段は、前記支持手段を介して連続鋳造用ノズルを押し上げることを特徴とするものである。
【００１２】
このように引掛手段を備えたことで、従来より小さい面圧で連続鋳造用ノズルをＳＮ装置と一体化させることができ、装置を小型化することができる。
【００１３】
ここで保持手段とは、先端側に支持手段が設けられ、当該支持手段に装着された連続鋳造用ノズルを、固定支柱から延びるアームなどで保持する手段である。具体的には、例えば、継手２０、回転支柱３０、支持アーム４０、アクチュエータ５０、水平旋回軸６０、架台７４などで構成される（図１参照）。
【００１４】
前記支持手段は、連続鋳造用ノズルに設けられた突起に係合する第二の係合部を備え、前記押上手段は、前記支持手段を介して連続鋳造用ノズルを下方に引き下げることができるように構成することが好ましい。これによって、連続鋳造用ノズルをＳＮ装置から容易に分離することができる。また前記第二の係合部は、連続鋳造用ノズルに設けた複数の突起にそれぞれ上方から係合することが好ましい。これにより、前記押上手段によって連続鋳造用ノズルを下方に引き下げる際に、前記押上手段による押し下げ力を効率的に連続鋳造用ノズルに作用させることができ、連続鋳造用ノズルをＳＮ装置からより容易に分離することができる。
【００１５】
前記押上手段は、具体的には、駆動手段によって前進及び後退するアームと、このアームに一端が連結されると共に他端が前記支持手段に連結されたベルクランクとを備え、前記アームを前進及び後退させることにより、前記ベルクランクによって前記支持手段を上昇及び下降させ、連続鋳造用ノズルの押し上げ及び引き下げを行う。この場合、前記ベルクランクによって前記支持手段を上昇させる方向に、前記アームを常時付勢する付勢手段を備えたものとすることが好ましい。
【００１６】
前記押上手段は、上述したアーム及びベルクランクに代えて、駆動手段によって前進及び後退するラックと、このラックと噛み合うピニオンを一端に有すると共に他端を前記支持手段にねじ込んだ送りねじとを用いて構成してもよい。この時、押上手段は、前記ラックを前進及び後退させることにより、前記送りねじによって前記支持手段を上昇及び下降させ、連続鋳造用ノズルの押し上げ及び引き下げを行う。
【００１７】
また、前記保持手段は、支持面に固定される固定支柱の周りに回転可能に連結された回転支柱と、この回転支柱にこれを中心として水平旋回可能かつ上下方向に揺動可能に連結された伸縮可能な支持アームと、この支持アームと前記回転支柱との間に配置され前記支持アームを上下方向に揺動させるアクチュエータとを備えて構成し、前記押上手段は、前記支持アームに水平旋回可能に連結し、前記支持手段は前記押上手段に連結する。このような構成にすることで、押上手段及び支持手段は、固定支柱、回転支柱及び支持アームに対する水平旋回軸の３軸の周りの水平旋回の組み合わせによって、円弧状ではなく実質的に直線状に動くことができ、支持手段に支持された連続鋳造用ノズルの動きをＳＮ装置の摺動方向に実質的に一致させることができる。
【００１８】
本発明に係るＳＮ設備は、以上説明した本発明に係る連続鋳造用ノズルの支持装置と、この支持装置の引掛手段が引っ掛る係合部が摺動金枠に形成されたＳＮ装置とによって構成される。
【００１９】
また本発明に係る連続鋳造用ノズルは、本発明に係る連続鋳造用ノズルの支持装置の前記第二の係合部と係合する突起を備えたものである。
【００２０】
さらに本発明に係る連続鋳造用ノズルの支持方法は、連続鋳造用ノズルをスライディングノズル装置に押し付けて支持する連続鋳造用ノズルの支持方法であって、支持面に固定された固定支柱から延びる保持手段に設けられた押上手段の支持手段で連続鋳造用ノズルを支持し、前記スライディングノズル装置の摺動金枠に形成された第一の係合部に引掛手段で前記押上手段を引っ掛け、前記支持手段を介して押上手段で連続鋳造用ノズルを上方に押し上げることを特徴とするものである。
【００２１】
この支持方法において、連続鋳造用ノズルをＳＮ装置から分離する際には、前記支持手段の第二の係合部を前記連続鋳造用ノズルに設けられた突起に係合させ、前記支持手段を介して前記押上手段で前記連続鋳造用ノズルを下方に引き下げる。
【発明の効果】
【００２２】
本発明によれば、従来より小さい面圧で連続鋳造用ノズルをＳＮ装置と一体化させることができる。
【図面の簡単な説明】
【００２３】
【図１】本発明に係るＳＮ設備の一例を示す要部の斜視図である。
【図２Ａ】本発明に係る連続鋳造用ノズルの支持装置の動作を示す説明図である。
【図２Ｂ】同上
【図２Ｃ】同上
【図２Ｄ】同上
【図２Ｅ】同上
【図２Ｆ】同上
【図３】付勢手段の構成例を示す説明図である。
【図４】引掛手段の構成例を示す説明図である。
【図５】（ａ）は引掛手段を引っ掛ける係合部の構成例を示し、（ｂ）は（ａ）に示した係合部に引っ掛ける引掛手段の引掛部の構成例を示す。
【図６】（ａ）は押上手段の他の例を示す正面図、（ｂ）はその要部の断面図である。
【発明を実施するための形態】
【００２４】
以下、本発明に係る連続鋳造用ノズルの支持装置及びこれを備えたスライディングノズル設備について、添付図を参照して詳細に説明する。なお、以下に示す本発明を実施するための形態は、本発明の具体的態様の一例であり、当該形態に限定されるものではない。
【００２５】
図１は本発明に係るＳＮ設備の一例を示す要部の斜視図である。図１に示すＳＮ設備における連続鋳造用ノズルの支持装置は、例えば、タンディッシュなどの溶融金属容器が設置されたタンディッシュカーなどの台車や、連続鋳造設備が設置された建屋の床面など、支持装置を支持する支持面に固定された固定支柱１０と、この固定支柱１０に継手２０を介して固定支柱１０周りに回転可能に連結された回転支柱３０と、この回転支柱３０にこれを中心として水平旋回可能かつ上下方向に揺動可能に連結された支持アーム４０とを備える。また、支持アーム４０と回転支柱３０との間にはエアシリンダからなるアクチュエータ５０が配置され、このアクチュエータ５０によって支持アーム４０を上下方向に揺動させるようにしている。アクチュエータ５０も回転支柱３０にこれを中心として水平旋回可能に連結されており、支持アーム４０と同調して水平旋回可能である。
【００２６】
支持アーム４０は、エアシリンダによって構成されており、その先端側のシリンダロッド４１が進退することによって支持アーム４０は伸縮可能となっている。なお、支持アーム４０は、エアシリンダに限られず、例えば、油圧シリンダなど、伸縮可能な任意の機構を用いてもよい。また、シリンダロッド４１はシリンダ本体４２に対して、その長軸周りに回転可能に取り付けられており、例えばベアリング等の機構によってシリンダロッド４１をその長軸周りに回転させるようにしている。そして、シリンダロッド４１の先端には、球面滑り軸受けからなる水平旋回軸６０を介して押上手段７０が連結されている。このため、押上手段７０は、水平旋回軸６０を中心としてあらゆる方向にある程度は動けるようになっている。なお、水平旋回軸受け６０で水平旋回可能とし、支持アーム４０のアクチュエータ５０などを利用して、上下方向の動作を可能としてもよい。
【００２７】
押上手段７０は、駆動手段としてのエアシリンダ７１によって前進及び後退するアーム７２と、一対のＬ字状のベルクランク７３とを備える。ベルクランク７３の一端はアーム７２の先端に軸支されており、他端にはロングノズル１００（連続鋳造用ノズル）を下方から支持するリング状の支持手段８０が支持されている。また、支持手段８０には、ロングノズル１００の外面を覆うメタルケースの側面に対称に設けた二つの突起１０１にそれぞれ上方から係合する係合部８１が設けられている。
【００２８】
ここで、上述の押上手段７０のエアシリンダ７１は、シリンダロッド７６の一端が架台７４に支持されている。そして、この架台７４は、水平旋回軸６０を介してシリンダロッド４１の先端に取り付けられている。エアシリンダ７１は、上方に突出するガイド７５を有している。また、ガイド７５の係合孔７５ａには、支持アーム４０のシリンダロッド４１の先端に設けた係合ピン４３が係合可能になっている。また、ベルクランク７３の中間部は、架台７４に固定された回転軸７３ａに軸支され、ベルクランク７３は回転軸７３ａ周りに回動可能となっている。
【００２９】
本発明に係る連続鋳造用ノズルの支持装置は、上記構成に加えてＳＮ装置１１０に引っ掛ける引掛手段９０を備える。図１の例において引掛手段９０は、押上手段７０の架台７４に固定されており、先端にＳＮ装置１１０の摺動金枠の下部ノズルスリーブ１１１に設けた係合部１１１ａに引っ掛ける溝状の引掛部９１が設けられている。すなわち、この引掛手段９０によって、押上手段７０がＳＮ装置１１０の係合部１１１ａに引っ掛けられる。
【００３０】
次に、図１に示した本発明に係る連続鋳造用ノズルの支持装置の動作について、図２Ａ〜図２Ｈを参照して説明する。
【００３１】
まず、図２Ａに示すように、支持手段８０でロングノズル１００を支持した上で、引掛手段９０の引掛部９１の位置が摺動金枠１１４の下部ノズルスリーブ１１１の係合部１１１ａの位置と整合するように位置合わせする。この位置合わせは、図１に示した回転支柱３０の固定支柱１０周りの回転動作、支持アーム４０の回転支柱３０周りの水平旋回動作、及びアクチュエータ５０による支持アーム４０の上下方向揺動動作の組み合わせによって行う。この際の上記回転動作及び水平旋回動作は、手動あるいはモーター等による機械駆動によって行う。
【００３２】
なお、この位置合わせの状態では、図２Ａに示すように、支持アーム４０に設けた係合ピン４３が押上手段７０のガイド７５に設けた係合孔７５ａに係合し、これによって、押上手段７０の水平旋回及び上下の揺動が抑止され、押上手段７０に連結された支持手段８０及びロングノズル１００が無用に水平旋回することが防止されている。
【００３３】
次に、図２Ｂに示すように、支持アーム４０を伸長させることによって引掛手段９０を前進させ、その引掛部９１を下部ノズルスリーブ１１１の係合部１１１ａに引っ掛ける。
【００３４】
続いて、図２Ｃに示すように、押上手段７０のエアシリンダ７１を作動させてアーム７２を前進させる。これに伴い、ベルクランク７３が押上手段７０の架台７４に固定された回転軸７３ａ周りに回転し、他端側が上昇する。これによって、ロングノズル１００を支持した支持手段８０が上昇し、ロングノズル１００が下部ノズル１１２に押し付けられ面圧が付加される。また、アーム７２の前進に伴って、支持アーム４０の係合ピン４３と係合孔７５ａとの係合が解除される。このため、押上手段７０は、支持アーム４０に対して水平旋回軸６０を中心として、あらゆる方向にある程度動けるようになる。
【００３５】
面圧を付加後、図２Ｄに示すように、ＳＮ装置１１０のプレートれんが１１３をスライドさせ、ＳＮ装置１１０を開状態として連続鋳造を開始する。なお、プレートれんが１１３のスライド方向は図２Ｄにおいて紙面と直交する方向である。ここで、本発明においては、上述のとおり、支持装置側の引掛手段９０がＳＮ装置側の摺動金枠１１４の下部ノズルスリーブ１１１に設けた係合部１１１ａに引っ掛かっており、支持装置とＳＮ装置が金枠どうしで一体化されているので、プレートれんが１１３をスライドさせる際、下部ノズル１１２とロングノズル１００との間には摺動力は掛からない。また、押上手段７０及び支持手段８０は、図１に示した固定支柱１０、回転支柱３０及び水平旋回軸６０の３軸の周りの水平旋回の組み合わせによって、円弧状ではなく実質的に直線状に動くことができるので、支持手段８０に支持されたロングノズル１００の動きをプレートれんが１１３の摺動方向に実質的に一致させることができる。したがって、下部ノズル１１２とロングノズル１００との接合面には、プレートれんが１１３の摺動に伴う摺動力が掛からないので、れんがの損傷を防止できる。さらに、上述のとおり、支持装置とＳＮ装置が金枠どうしで一体化されることから、下部ノズル１１２とロングノズル１００との間には、漏鋼や溶鋼の酸化等を防止するのに必要な最低限の面圧を付加すれば良いので、面圧を付加するための機構を小型化できる。
【００３６】
連続鋳造を終了する際には、プレートれんが１１３を逆方向にスライドさせ、ＳＮ装置１１０を閉状態する。
【００３７】
次に、図２Ｅに示すように、押上手段７０のエアシリンダ７１を作動させてアーム７２を後退させる。これに伴い、ベルクランク７３が回転軸７３ａ周りに回転し、他端側が下降することで、ロングノズル１００を支持した支持手段８０が下降する。このとき、支持手段８０に設けた係合部８１がロングノズル１００に設けた突起１０１に上方から係合するので、支持手段８０の下降によってロングノズル１００が引き下げられる。これによって、ロングノズル１００を下部ノズル１１２から容易に分離することができる。
【００３８】
ロングノズル１００を下部ノズル１１２から分離したら、図２Ｆに示すように、支持アーム４０を縮めることによって引掛手段９０を後退させ、その引掛部９１と下部ノズルスリーブ１１１の係合部１１１ａとの引っ掛かりを解除する。
【００３９】
以上の例では、押上手段７０のシリンダ７１でアーム７２を前進させることによって、ロングノズル１００を下部ノズル１１２に押し付けて面圧を付加するようにしたが、シリンダ７１が故障してもある程度の面圧を付加できるようにするために、アーム７１を常時前進する方向に付勢する付勢手段を設けることが好ましい。例えば、図３（ａ）に示すように、シリンダ７１の外箱とアーム７２に設けたガイド７５との間にバネ７７を配置する。このようなバネ７７は、図３（ｂ）に示すようにシリンダ７１内に配置しても良い。
【００４０】
また、本発明においては、引掛手段９０とＳＮ装置との引っ掛かりを確実にするため、図１及び図２で示したように引掛手段９０の引掛部９１を溝状にする等によって上下に引掛面を形成することが好ましい。上下の引掛面で下部ノズルスリーブ１１１の係合部１１１ａに引っ掛けるには、例えば図４のような構成とすることもできる。
【００４１】
さらに、本発明においては、引掛手段９０と下部ノズルスリーブ１１１の係合部１１１ａとの位置関係に応じて、係合部１１１ａの位置を調整可能とすることができる。このためには、例えば図５（ａ）に示すように、係合部１１１ａを設けた金枠を下部ノズルスリーブ１１１と別部材として、当該下部ノズルスリーブ１１１の周方向の任意の箇所で固定可能とする。具体的には、係合部１１１ａを設けた金枠にボルト挿通用の長孔１１１ｂを設けるとともに、下部ノズルスリーブ１１１にボルト穴１１１ｃを周方向に等間隔で多数設け、ボルトを任意のボルト穴１１１ｃにねじ込むことで固定する。
【００４２】
図５（ｂ）には、図５（ａ）に示した係合部１１１ａに引っ掛ける引掛手段９０の引掛部９１の構成例を示す。この引掛部９１においても、その切欠き部に係合部１１１ａを位置させることで上下の引掛面で係合部１１１ａに引っ掛けるようにしている。
【００４３】
なお、図１では、摺動金枠の下部ノズルスリーブ１１１に係合部１１１ａを設けているが、図６を用いて後述するように、摺動金枠自体に係合部を設けても良い。また、摺動金枠の下部ノズル金枠に係合部を設けても良い。要するに係合部は摺動金枠に設ければ良い。ここで、摺動金枠とは摺動金枠自体及びこれに固定される下部ノズルスリーブあるいは下部ノズル金枠その他の金枠を総称するものである。
【００４４】
図６（ａ）は押上手段の他の例を示す正面図、図６（ｂ）は、連続鋳造用ノズル（ロングノズル）１００の内孔の中心軸に沿って、図６(ａ)の押上手段をラック１２２の垂直方向に切断した断面図である。なお、図１と共通な機能を果たす部分には、図１で使用した符号と同一の符号を付して、その詳細な説明を省略する。
【００４５】
図６に示すように本実施例に係る連続鋳造用ノズルの支持装置は、固定支柱１０と、当該固定支柱１０に沿って上下方向に移動可能かつ固定支柱１０を中心に水平旋回可能に設置され、固定支柱１０から先端側（ノズル側）に伸縮可能な支持アーム４０と、当該支持アーム４０の先端側に設置された押上手段１２０とを具備して構成されている。
【００４６】
押上手段１２０は、駆動手段としての油圧シリンダ１２１によって前進及び後退するラック１２２と、このラック１２２と噛み合うピニオン１２３ａを一端に有すると共に他端を支持手段８０にねじ込んだ送りねじ１２３とを備えて構成されている。
そして、ラック１２２を前進及び後退させることにより、送りねじ１２３を回転させ、それによって支持手段８０を上昇及び下降させることで、連続鋳造用ノズル１００の押し上げ及び引き下げを行う。
【００４７】
このようなラック・ピニオン機構を利用した押上手段１２０においては、駆動手段としての油圧シリンダ１２１が故障しても、ラック１２２及びピニオン１２３ａはそのままの位置で動かないので、面圧は維持される。したがって、ベルクランクを利用した先の押上手段７０のように、付勢手段（バネ７６）を設ける必要はない。また、ラック・ピニオン機構及び送りねじ１２３によって支持手段８０を完全に垂直に上昇させることができるので、ベルクランクを利用した先の押上手段７０に比べ、面圧をより均一に付加することができる。
【００４８】
上記構成を用いて本実施例に係る連続鋳造用ノズルの支持装置は、まず、支持手段８０でロングノズル１００を支持した上で、引掛手段９０の引掛部９１の位置が係合部１１１ａの位置と整合するように位置合わせする。この位置合わせは、固定支柱１０周りの水平旋回動作、固定支柱１０に沿った上下方向移動動作、及び支持アーム４０の伸長による引掛手段９０の前後進動作の組み合わせで行い、その引掛部を係合部１１１ａに引っ掛ける。
【００４９】
続いて、ラック１２２を前進させることにより、送りねじ１２３を回転させ、支持手段８０を上昇させることで、連続鋳造用ノズル１００の押し上げを行う。これによって、ロングノズル１００を支持した支持手段８０が上昇し、ロングノズル１００が下部ノズル１１２に押し付けられ面圧が付加される。
【００５０】
面圧を付加後、ＳＮ装置１１０のプレートれんがをスライドさせ、ＳＮ装置１１０を開状態として連続鋳造を開始する。そして、押上手段１２０及び支持手段８０は、ＳＮ装置の摺動時、固定支柱１０、水平旋回軸６０の２軸の周りの水平旋回の組み合わせ、及びアーム４１の伸縮によって、実質的に直線状に動作する。
【００５１】
一方、ロングノズル１００を取り外す場合には、ラック１２２を後進させることにより、送りねじ１２３を回転させ、支持手段８０を下降させる。
【００５２】
なお、図６では、摺動金枠１１４に係合部１１１ａが形成されているが、図１を用いて上述したように、摺動金枠に係合部を備えた下部ノズルスリーブを設置してもよい。
【００５３】
さらに、支持アーム４０は、固定支柱１０から先端側が伸縮可能な構成であればよく、例えば、固定支柱１０を中心にアーム全体を前後させ、先端側の長さを調整することが可能な構成としてもよい。
【００５４】
また、上記各実施例では、取鍋の下に設置されるロングノズルを用いて説明しているが、ノズルをアームで保持してＳＮ装置に押し付ける機構を備えたノズル支持装置であれば、タンディッシュの下に設置する浸漬ノズルなど、他の連続鋳造用ノズルの支持装置などに使用することもできる。
【００５５】
このように本実施の形態に係る連続鋳造用ノズルの支持装置では、従来より小さな面圧でシール性を確保することができるため、装置を小型化することができる。また、面圧が小さくなることで、連続鋳造用ノズル及びＳＮ装置を構成するれんがの損傷を軽減することができる。
【００５６】
さらに、押上手段及び支持手段を２つ乃至３つの水平旋回軸を介して支持するため、連続鋳造用ノズルの動きをＳＮ装置の摺動方向に実質的に一致させることができ、ＳＮ装置の摺動に伴うれんがの損傷、及び接合部の密着性悪化を防止できる。
【００５７】
加えて、支持手段に第二の係合部を設け、当該第二の係合部に連続鋳造用ノズルに設けた係合部を係合させて押上手段で支持手段を下方に引き下げることで、連続鋳造用ノズルを下方に引き下げることができるため、連続鋳造用ノズルをＳＮ装置から容易に分離することができる。
【００５８】
また、支持アームの動作によって、引掛手段をＳＮ装置の第一の係合部に引っ掛けたり、外したりできると共に、押上手段で連続鋳造用ノズルの押し上げ、引き下げもできるため、ＳＮ装置と連結して一体化する連続鋳造用ノズルの支持装置でありながら、溶融金属容器から離れた位置の操作で作業を行うことができる。
【符号の説明】
【００５９】
１０…固定支柱、２０…継手、３０…回転支柱、４０…支持アーム、４１…シリンダロッド、４２…シリンダ本体、４３…係合ピン、５０…アクチュエータ、６０…水平旋回軸、７０…押上手段、７１…エアシリンダ（駆動手段）、７２…アーム、７３…ベルクランク、７３ａ…回転軸、７４…架台、７５…ガイド、７５ａ…係合孔、７６…シリンダロッド、７７…バネ（付勢手段）、８０…支持手段、８１…係合部（第二の係合部）、９０…引掛手段、９１…引掛部、１００…ロングノズル（連続鋳造用ノズル）、１０１…突起、１１０…ＳＮ装置、１１１…下部ノズルスリーブ、１１１ａ…係合部（第一の係合部）、１１１ｂ…長孔、１１１ｃ…ボルト穴、１１２…下部ノズル、１１３…プレートれんが、１１４…摺動金枠、１２０…押上手段、１２１…油圧シリンダ（駆動手段）、１２２…ラック、１２３…送りねじ、１２３ａ…ラック。
【図１】
2010221279.tif 000003
【図２Ａ】
2010221279.tif 000004
【図２Ｂ】
2010221279.tif 000005
【図２Ｃ】
2010221279.tif 000006
【図２Ｄ】
2010221279.tif 000007
【図２Ｅ】
2010221279.tif 000008
【図２Ｆ】
2010221279.tif 000009
【図３】
2010221279.tif 000010
【図４】
2010221279.tif 000011
【図５】
2010221279.tif 000012
【図６】
2010221279.tif 000013